(57)【要約】    【課題】  シート原稿を読み取りのために搬送する際に原稿に付着したホコリなどの異物がコンタクトガラスの付着し、該付着異物が読取ライン上に滞留する可能性を低減して、画像形成の際の白スジ、黒スジ等の不具合を防止する。    【解決手段】  原稿搬送方向に往復動可能なコンタクトガラス(32)と、該コンタクトレンズを往復動しながら衝撃振動を加える往復振動駆動手段(41, 42)とを備え、上記コンタクトガラスを原稿搬送方向に往復動しながら画像読み取りを行う。本発明は、コンタクトガラスをシート原稿搬送方向に往復移動及び衝撃振動を与えるものである。【選択図】    図３
2005123704.tif 000002
【特許請求の範囲】
【請求項１】
原稿を搬送する搬送手段と、該搬送手段で搬送させられる原稿に光を照射する照射手段と、該照射手段で照射され原稿から反射した光を収束する結像レンズ系と、該結像レンズ系で収束した光を読み取る読取手段を有する画像読取装置において、
原稿搬送方向に往復動可能なコンタクトガラスと、該コンタクトレンズを往復動しながら衝撃振動を加える往復振動駆動手段とを備え、上記コンタクトガラスを原稿搬送方向に往復動しながら画像読み取りを行うことを特徴とする画像読取装置。
【請求項２】
往復振動駆動手段を、コンタクトガラスよりも原稿搬送方向下流側に設けたことを特徴とする請求項１に記載の画像読取装置。
【請求項３】
コンタクトガラスを、原稿搬送方向上流側より下流側が低くなるように傾けて設けたことを特徴とする請求項１に記載の画像読取装置。
【請求項４】
請求項１〜３のいずれか一項に記載の画像読取装置を備えた画像形成装置。
【発明の詳細な説明】
【技術分野】
【０００１】
本発明は、複写機、ファクシミリ、プリンタ等の電子写真方式画像形成装置における画像読取装置に関するもので、コンタクトガラスに沿って搬送させられる原稿の情報面を露光走査して画像光を得る構成に係る読取装置に関するものである。
【背景技術】
【０００２】
【特許文献１】特開平８−１２３１５７号公報
【０００３】
従来の画像読取装置においては、載置固定した原稿を露光走査する原稿固定・光学系移動方式（スキャン方式）と、原稿を所定の速度で移動し、これを露光する原稿移動・光学系固定方式（シートスルー方式）とに分けることができ、さらに、一般的な画像読取装置で用いられるアナログタイプとＣＣＤ等の撮像素子を用いたデジタルタイプとがある。最近では、大型の原稿を読み取り、その後の各種画像処理を実行するのに有利なデジタルタイプのシートスルー方式が多く採用されるようになってきている。
【０００４】
アナログ画像読取装置では、上記両方式共に５〜１０ｍｍ幅のスリット域で露光を行っている。このスリット域では、原稿走査と感光体周面移動を同期されなければ、感光体上に潜像が形成できないので、コンタクトカラス上に、例えば、ゴミが付着・滞留した場合、スキャン方式にあってはゴミの大きさに対応した黒点となり、また、シートスルー方式にあってはぼけた潜像となり、現像させてもはっきりした画像として頭在化しないので、さほど問題とならない。
【０００５】
ところが、デジタル方式のシートスルー方式にあっては、スリット露光域（読取露光幅）が狭く、例えば読取密度４００ｄｐｉでは、読取露光幅が２５．４／４００＝０．０６３５ｍｍと非常に狭くなるため、この部分に０．０６３５ｍｍ以上の大きさのゴミが付着すると、原稿上の画像とは無関係に黒データとして連続して読み取られることになる。前述のようにゴミが付着・滞留した状態で原稿を読み取ると、ゴミに対応する部分が副走査方向に順次読み込まれることになるため、異常画像（所謂「黒スジ」を含む）が発生しやすくなる。このような問題を解決するための一つの考え方として、例えば特許文献１に開示された構成を利用することができる。これは、原稿をコンタクトガラスに圧接させながら移送することでコンタクトガラスに原稿のインクや原稿に付着していた汚れが移って黒スジ等の欠陥を生じる危険を回避するため、原稿をコンタクトガラス上から浮かした状態で搬送しつつ、該原稿からの画像光を鮮明にレンズへ投影させようとする構成である。
【発明の開示】
【発明が解決しようとする課題】
【０００６】
本発明は、シート原稿を読み取りのために搬送する際に原稿に付着したホコリなどの異物がコンタクトガラスの付着し、該付着異物が読取ライン上に滞留する可能性を低減して、画像形成の際の白スジ、黒スジ等の不具合を防止することを課題とする。
【課題を解決するための手段】
【０００７】
上記課題は、本発明によれば、原稿を搬送する搬送手段と、該搬送手段で搬送させられる原稿に光を照射する照射手段と、該照射手段で照射され原稿から反射した光を収束する結像レンズ系と、該結像レンズ系で収束した光を読み取る読取手段を有する画像読取装置において、原稿搬送方向に往復動可能なコンタクトガラスと、該コンタクトレンズを往復動しながら衝撃振動を加える往復振動駆動手段とを備え、上記コンタクトガラスを原稿搬送方向に往復動しながら画像読み取りを行うことによって解決される。本発明は、シート原稿に付着したホコリ等の異物がコンタクトガラスの表面に付着しても、往復振動手段を用いて、コンタクトガラスをシート原稿搬送方向に往復移動及び衝撃振動を与えて、上記異物による不具合を回避せんとするものである。
【０００８】
往復振動駆動手段を、コンタクトガラスよりも原稿搬送方向下流側に設ければ、好適である。またコンタクトガラスを、原稿搬送方向上流側より下流側が低くなるように傾けて設ければ、一層効果的である。
【発明の効果】
【０００９】
請求項１の装置においては、原稿搬送方向に往復動可能なコンタクトガラスと、該コンタクトレンズを往復動しながら衝撃振動を加える往復振動駆動手段とを備え、上記コンタクトガラスを原稿搬送方向に往復動しながら画像読み取りを行うので、コンタクトガラス上の異物が滞留することを防止でき、異物付着に起因した黒筋等の発生を低減し、良好な読取画像データを得ることができる。
【発明を実施するための最良の形態】
【００１０】
図１に、本発明の実施形態に係るデジタル画像読取装置の読取位置付近の概略構成を示す。なお画像読取装置が装着される画像形成装置たる複写機は、その全体構成が基本的に従来公知のものと同じであり、図２に示すように、感光体５１の周囲に画像を形成するために必要な所定の装置、例えば帯電ローラ５２、レーザ書き込み装置５０、現像装置５３、転写ローラ５４、クリーニング装置５５、除電装置５６が配置されている。複写機本体下部に設けられた給紙装置５７から、転写紙Ｐがレジストローラ５８を介して転写部へ給送され、感光体５１上のトナー像を転写された後、搬送ベルト６５によって定着装置５９で定着処理を受け、排紙トレイ６６上へ排紙されるようになっている。
【００１１】
図１に戻り、自動原稿送り装置（以下、ＡＤＦという）において、原稿給紙台１上に載置されたシート原稿２０は給送ローラ３により最上位のシート原稿から給送されるようになっており、原稿分離ベルト４とこれに下から圧接するローラにより、シート原稿は分離され１枚ずつ搬送ローラ５を介して給送される。読取ローラ７、読取第１従動コロ６により複写機本体の読取部８に給送され、読取部８でシート原稿２０の画像情報が読み取られ、排紙ローラ１０により排紙トレイ１４上に排紙するように構成されている。
【００１２】
給送ローラ３から読取部８に至る給送部においては、原稿幅検知センサ及び長さセンサが設けられている（いずれも図示せず）。両センサにより、ＡＤＦから送られる原稿のサイズが検知される。
【００１３】
ＡＤＦの下方には、原稿を読み取る読取装置２１が配置されている。該読取装置２１は、上記ＡＤＦから給送された原稿を読み取る読取部８に第１のコンタクトガラスを有するほか、原稿載置のためのコンタクトガラス２６や光学走査系等を有する。該光学走査系はに、露光ランプ１５、第１ミラー１６及び対向反射板１７を有する第１キャリッジ２２と、第２ミラー１８、第３ミラー１９を有する第２キャリッジ２３と、レンズ２４と、読取センサＣＣＤ２５が配置されている。
【００１４】
読取装置２１の読取モードには２種類あり、第１の読取モードでは、上記コンタクトガラス２６上に載置された原稿に対して、第１、第２キャリッジを副走査方向に移動させるものである。この第１読取モードにおいて、第１キャリッジ２２は、原稿読取時に不図示のステッピングモータにより一定の速度で副走査方向に移動する。第２キャリッジ２３は、同じく不図示のステッピングモータにより第１キャリッジの１／２の速度で移動する。この第１、第２キャリッジの移動によりコンタクトガラス２６上の原稿が光学的に走査され、レンズ２４によりＣＣＤ２５の受光面に結像されて光電変換される。フルカラーＣＣＤ２５により赤（Ｒ）、緑（Ｇ）、及び青（Ｂ）の各色に分離された画像信号は、画像処理回路によりＡ／Ｄ変換等された後に画像処理部により各種の画像処理が施され、次いでコピー時には書き込み装置５０により感光体５１上に画像形成され、転写紙Ｐにコピーされる。
【００１５】
これに対して第２の読取モードでは、ＡＤＦを使用して、上記読取部８の読取走査位置まで原稿を移動し、画像情報を読み取る。そのための本例に係る構成を図３、図４に基づいて以下に説明する。第１のコンタクトガラス３１と、主走査方向に長い角穴（図示せず）が開いた板金３２とが例えば接着剤を用いて一体化されている。第１のコンタクトガラス３１は、シート原稿の搬送方向上流側に対し下流側の方が低くなる様に傾けて設けられている（図３）。板金３２は、主走査方向の読取範囲外にある側板３４に載置され、シート原稿の搬送方向上流側で圧縮ばね３３により一方向の力（搬送方向下流側への力）を加えられている。したがって圧縮ばね３３の押圧力に抗する力を加えることで板金３２は、シート原稿の搬送方向に往復摺動可能である。板金３２と一体化した第１のコンタクトレンズ３１は、圧縮ばね３３による板金３２への押圧で、板金３２と同様に一方向の力（搬送方向下流側への力）を加えられつつ、ガイド３５に当接して停止している。第１のコンタクトガラス３１、板金３２の主走査方向両端でその下流側に設けられた駆動モータ４１には、モータ軸にカム４２が設けられている。上記駆動モータ４１を回転することで、板金３２とカム４２が当接しつつ、圧縮ばね３３の押圧力に抗して板金３２が搬送方向に往復移動するとともに衝撃振動を与えられる。駆動モータ４１の駆動タイミングは例えば、ＡＤＦの給送開始からシート原稿２０が読取部８を抜けるまでの間で駆動回転し、シート原稿２０の後端が読取部８を受けた後に停止するように制御される。
【００１６】
上記のようにカム４２と板金３２を当接させることにより、急激にコンタクトガラスを移動でき、コンタクトガラス上に滞留するホコリ等の異物は、慣性力により現状位置に留まりつつコンタクトガラス上を相対的に移動することになる。さらにコンタクトガラスが搬送方向で移動するため、原稿の読取位置から離れる方向での移動となる。また、コンタクトガラスを搬送方向下流側が低くなるように傾斜させたことにより上記カム４２と板金３２を当接させた時の振動で、コンタクトガラス上に滞留するホコリ等の異物が移動することとなり、主走査読取ライン上に滞留した異物により生じ得る黒筋又は白筋を防止できる。
【図面の簡単な説明】
【００１７】
【図１】デジタル画像読取装置の読取位置付近の概略構成を示す図である。
【図２】画像形成装置の概略構成図である。
【図３】読取部の拡大図である。
【図４】往復動可能なコンタクトガラスの往復動機構を示す概略斜視図である。
【符号の説明】
【００１８】
７  読取ローラ
２６  原稿載置用コンタクトガラス
３１  往復動コンタクトガラス
３２  板金
３３  圧縮ばね
３４  側板
【図１】
2005123704.tif 000003
【図２】
2005123704.tif 000004
【図３】
2005123704.tif 000005
【図４】
2005123704.tif 000006